(57)【要約】【課題】  透明部材の肉厚が４ｍｍ程度でも外観上所定厚肉形状に見えるようにすることを目的とする。【解決手段】  映像表示画面と略同じ大きさの開口１０ａを有する枠体１０と、この枠体１０の上及び下側にスライド係合する上及び下透明部材１２Ｕ及び１２Ｄとを有する映像表示装置のフロント組立体において、この上透明部材１２Ｕの上側を断面逆Ｌ字型とすると共にこの逆Ｌ字型の上面にローレット状の線シボ１３を施したものである。【選択図】        図７
2006030311.tif 000002
【特許請求の範囲】
【請求項１】
映像表示画面と略同じ大きさの開口を有する枠体と、前記枠体の上及び下側にスライド係合する上及び下透明部材とを有する映像表示装置のフロント組立体において、
前記上透明部材の上側を断面逆Ｌ字型とすると共に前記逆Ｌ字型の上面にローレット状の線シボを施したことを特徴とする映像表示装置のフロント組立体。
【請求項２】
映像表示画面と略同じ大きさの開口を有する枠体と、前記枠体の左及び右側に夫々スライド係合する左及び右スピーカ取り付け板と、
前記枠体の上及び下側にスライド係合する上及び下透明部材とを有し、
前記枠体の裏側にフィルターガラスをフロントフレームとコーナブラケットとで固定すると共に前記上透明部材の上側を断面逆Ｌ字型とし、前記逆Ｌ字型の上面にローレット状の線シボを施したフロント組立体を前面に設けたことを特徴とする映像表示装置。
【請求項３】
左及び右スピーカ取り付け板と上及び下透明部材とはお互いにスライド係合し固定されていることを特徴とする請求項２に記載の映像表示装置。
【発明の詳細な説明】
【技術分野】
【０００１】
本発明はＰＤＰ（プラズマディスプレイパネル）、液晶パネル等を使用したフラットパネルディスプレイ、フラットパネルカラーテレビ等の前面にフィルターガラスを有する比較的大型の映像表示装置のフロント組立体及び映像表示装置に関する。
【背景技術】
【０００２】
一般にＰＤＰ、液晶パネル等を使用したフラットパネルディスプレイ、フラットパネルカラーテレビ等の映像表示装置では、前面にフィルターガラスやパネルデバイスを支えると共にスピーカを取り付けるようにした合成樹脂材料により一体成形したベズル等と呼ばれる四角い所定大きさの枠体より成るフロント組立体が設けられていた。
【０００３】
従来、フロント組立体を構成する枠体を、合成樹脂材料の透明部材で形成する如くし、映像画面を視認したときにこの映像画面が宙に浮いたような状態に見え、視聴者にデザイン的に開放的な感覚を与えるようにしたものが提案されている（特許文献１参照）。
【特許文献１】特開２００４−６９８２２号公報
【発明の開示】
【発明が解決しようとする課題】
【０００４】
然しながら、合成樹脂材料で透明部材を成形しようとすると、通常は４ｍｍ程度の肉厚のものしかできない。この４ｍｍ程度の肉厚の透明部材ではデザイン的に貧視なものとなると共に強度的にも不安定となる不都合があった。
【０００５】
また、この透明部材を無理に肉厚を大きく成形するようにしたときには、成形サイクルが異常に長時間となり、超コスト高となる不都合があった。
【０００６】
本発明は斯る点に鑑み、透明部材の肉厚が４ｍｍ程度でも外観上所定肉厚形状に見えるようにすることを目的とする。
【課題を解決するための手段】
【０００７】
本発明映像表示装置のフロント組立体は、映像表示画面と略同じ大きさの開口を有する枠体と、この枠体の上及び下側にスライド係合する上及び下透明部材とを有する映像表示装置のフロント組立体において、この上透明部材の上側を断面逆Ｌ字型とすると共にこの逆Ｌ字型の上面にローレット状の線シボを施したものである。
【０００８】
また本発明映像表示装置は、映像表示画面と略同じ大きさの開口を有する枠体と、この枠体の左及び右側に夫々スライド係合する左及び右スピーカ取り付け板と、この枠体の上及び下側にスライド係合する上及び下透明部材とを有し、この枠体の裏側にフィルターガラスをフロントフレームとコーナブラケットとで固定すると共にこの上透明部材の上側を断面逆Ｌ字型とし、この逆Ｌ字型の上面にローレット状の線シボを施したフロント組立体を前面に設けたものである。
【発明の効果】
【０００９】
本発明によれば、上透明部材の上側を断面逆Ｌ字型とし、この逆Ｌ字型の上面にローレット状の線シボを施したので、この上面の幅を例えば９ｍｍとしたときには、この上透明部材の肉厚が４ｍｍでも、外観上この上面の幅例えば９ｍｍの厚肉形状に見えると共に上側を逆Ｌ字型としたので、強度的にも強い安定なものとなる。
【発明を実施するための最良の形態】
【００１０】
以下、図面を参照して本発明映像表示装置のフロント組立体及び映像表示装置を実施するための最良の形態の例につき説明する。
【００１１】
図３は本例による映像表示装置の正面側斜視図を示し、図４はこの映像表示装置の背面側斜視図を示す。本例はＰＤＰフラットパネルディスプレイに適用したものである。
【００１２】
図３において、１は前面に配されたフロント組立体を示し、２はプラズマディスプレイパネルの映像表示画面の前面に配されたこのフロント組立体内に組み込まれたフィルターガラスで、図４において、３はリアカバーを示し、このフロント組立体１とリアカバー３との間に図５，図６に示す如くプラズマディスプレイパネル４、その駆動回路、チューナ部、スピーカ５等が組み込まれる如く成されている。
【００１３】
本例においては、この映像表示装置の映像表示画面を例えば４２インチとし、この奥行きを例えば９．８ｃｍと極めて薄くする如くする。
【００１４】
このフロント組立体１は、図１及び図２例に示す如く構成する。図１は、このフロント組立体１の背面側から見た分解斜視図で、図２はこのフロント組立体１の背面側から見た斜視図である。
【００１５】
図１，図５，図６において、１０は映像表示画面と略同じ大きさの開口１０ａを有する板状の矩形の枠体を示す。この枠体１０は例えばＡＢＳ樹脂で射出成形により形成し、例えばその後光沢塗装を施す如くする。
【００１６】
また、図１，図５，図６において、１１Ｌ及び１１Ｒは夫々左スピーカ取り付け板及び右スピーカ取り付け板を示し、之等左及び右スピーカ取り付け板１１Ｌ及び１１Ｒは、コ字状板形状の左右対称なもので、樹脂により射出成形したものであり、この左及び右スピーカ取り付け板１１Ｌ及び１１Ｒに夫々スピーカ５を取り付ける如く構成する。
【００１７】
この左及び右スピーカ取り付け板１１Ｌ及び１１Ｒを枠体１０の左側及び右側に夫々スライド係合する如くする。本例においては、枠体１０の左及び右側端に夫々一体成形により所定個の係合孔１０ｂを設けると共に左及び右スピーカ取り付け板１１Ｌ及び１１Ｒの夫々の内側端にこの枠体１０の係合孔１０ｂに対応して一体成形により係合突起１１ａを設け、この枠体１０の左及び右側端の係合孔１０ｂに左及び右スピーカ取り付け板１１Ｌ及び１１Ｒの夫々の内側端の係合突起１１ａをスライド係合する如くする。
【００１８】
図１，図５，図６において、１２Ｕ及び１２Ｄは夫々上及び下透明部材を示し、この上及び下透明部材１２Ｕ及び１２Ｄは所定幅で映像表示画面の略上側及び下側に沿った長さを有し、透明なアクリル樹脂材料により射出成形したものである。
【００１９】
この上及び下透明部材１２Ｕ及び１２Ｄを枠体１０の上側及び下側に夫々スライド係合する如くする。本例においては、枠体１０の上及び下側端に夫々一体成形により所定個の係合孔１０ｃを設けると共に上及び下透明部材１２Ｕ及び１２Ｄの夫々の枠体１０の対向端にこの枠体１０の係合孔１０ｃに対応して一体成形により係合突起１２ａを設け、この枠体１０の上及び下側端の係合孔１０ｃに上及び下透明部材１２Ｕ及び１２Ｄの対向端の係合突起１２ａをスライド係合する如くする。
【００２０】
本例においては、この上透明部材１２Ｕの上側を図７に示す如く断面逆Ｌ字型とし、この上透明部材１２Ｕの前面側を平滑面とすると共にこの逆Ｌ字型上面にローレット状の線シボ１３を施す。
【００２１】
このローレット状の線シボ１３としては夫々の傾斜の角度を例えば７度とし、ピッチを０．５ｍｍとする。この場合、射出成形により形成される上透明部材１２Ｕを良好に形成できる厚肉ｔ０は通常４ｍｍ程度であり、４ｍｍ程度の肉厚ではデザイン的に貧祖なものとなるが、この逆Ｌ字型の上面の幅ｔ１を例えば９ｍｍとしたときには、この上透明部材１２Ｕの肉厚ｔ０が４ｍｍでも外観上９ｍｍの肉厚形状に見える効果を有する。
【００２２】
更に、この上透明部材１２Ｕの上側を逆Ｌ字型としたときには、強度的にも強い安定なものとなる。
【００２３】
また本例においては、図１，図８に示す如く、下透明部材１２Ｄの前面の中央に文字等の記号１４を印刷する。この印刷は例えばメジウムインクと蛍光白インクを混合したインクを使用しシルク印刷により行う。
【００２４】
また図８に示す如く、この下透明部材１２Ｄの印刷された記号１４の上側に所定長さの反射面１５を形成し、この下透明部材１２Ｄの反射面１５に対応して、複数個例えば７個の光源としての発光ダイオード（ＬＥＤ）１６を設け、この複数個の発光ダイオード１６よりの光がこの下透明部材１２Ｄの内部を通過するようにする。
【００２５】
本例においては、下透明部材１２Ｄの反射面１５に対応する複数個の発光ダイオード１６よりの光が通過する部分（側面入光部）に図８に示す如く複数のＶ溝が並列に設けられたレンズシート１７及び拡散シート１８を重ね合わせて、接着等により固定する。
【００２６】
このレンズシート１７として例えば住友スリーエム株式会社製「ビキュイティ」ＢＥＦ２輝度上昇フィルム等が使用できる。
【００２７】
本例においては、発光ダイオード１６と下透明部材１２Ｄの入光部との間にレンズシート１７及び拡散シート１８を挿入したので、従来発光ダイオード１６の複数本の光線に見えていたものが均一な滑らかな光となって文字等の記号１４をイルミネーション（照明）することとなり、良好なイルミネーションを行うことができる。
【００２８】
また本例においては、図８に示す如く、この下透明部材１２Ｄの下側端面にグラデーション（ぼかし）デザインのシルク印刷１９を施す。この場合、グラデーションデザインのシルク印刷１９により、発光ダイオード１６よりの光がこの下透明部材１２Ｄの下側外部に漏れることがなくなる。
【００２９】
図９に図３の矢印Ａの方向から見たグラデーションデザインのシルク印刷１９の詳細を示している。グラデーションデザインのシルク印刷１９はＢ部とその左右に連続しているＣ部とからなっている。Ｂ部は記号１４の幅に対応して配置された発光ダイオード１６の光が下透明部材１２Ｄの下側外側に漏れないような範囲にベタ状に印刷されている。また２つのＣ部はＢ部から離れるにつれて印刷密度が薄くなる所謂グラデーション状に印刷されている。
【００３０】
またグラデーションデザインのシルク印刷１９のインクをシルバーとしたときには発光ダイオード１６よりの光が、この下透明部材１２Ｄの下端面のグラデーションデザインのシルク印刷１９により反射され、文字等の記号１４のイルミネーションの輝度が略２倍になり、より高品位に照らされる効果を生み出すことができる。
【００３１】
従って本例によれば、フラットパネルディスプレイで浮遊感のある文字等の記号１４のイルミネーションの品位及び光漏れを改善することができる。
【００３２】
再び、図１に戻って説明するに、このフロント組立体１の組立は、先ず枠体１０の上及び下側端の係合孔１０ｃに上及び下透明部材１２Ｕ及び１２Ｄの対向端の係合突起１２ａをスライド係合する。次に枠体１０の左及び右側端の係合孔１０ｂに左及び右スピーカ取り付け板１１Ｌ及び１１Ｒの夫々の内側端の係合突起１１ａを夫々スライド係合する。この時、あらかじめ枠体１０にスライド係合されている上及び下透明部材１２Ｕ及び１２Ｄの両端部から突出している弾性力を有する係合突起１２ｂを、左及び右スピーカ取り付け板１１Ｌ及び１１Ｒの夫々の端部に設けられた係合孔１１ｂにはめ込むことにより行われる。
【００３３】
次に、この枠体１０の裏側の所定位置にこのプラズマディスプレイパネル４の映像表示画面よりやや大きい矩形のフィルターガラス２を配置し、その後、鉄板を加工した上側フロントフレーム２０ａ、下側フロントフレーム２０ｂ、左及び右側フロントフレーム２０ｃ及び２０ｄと鉄板を加工した４個のコーナブラケット２１ａ，２１ｂ，２１ｃ及び２１ｄを使用し、ビス等を用いてこの枠体１０と左及び右スピーカ取り付け板１１Ｌ及び１１Ｒと上及び下透明部材１２Ｕ及び１２Ｄとフィルターガラス２とを図２に示す如く一体に固定する。
【００３４】
本例においては、図２に示す如く組立てられたフロント組立体１と所定形状のリアカバー３との間に図５，図６に示す如く、プラズマディスプレイパネル４、その駆動回路、スピーカ５等を組み込むと共に発光ダイオード１６を下透明部材１２Ｄと図８に示す如き構成で組み込む如くする。
【００３５】
斯る本例によれば、フロント組立体を枠体１０と、左及び右スピーカ取り付け板１１Ｌ及び１１Ｒと、上及び下透明部材１２Ｕ及び１２Ｄとの５ピース構成としたので、このフロント組立体１の各ピースの金型は大型化せず比較的安価となると共に製造性、寸法精度が改善され且つ５ピース構成による斬新なデザインを実現できる。例えば上及び下透明部材１２Ｕ及び１２Ｄにより映像画面を視認したときに映像画面が宙に浮いたような状態に見え、視聴者にデザイン的に開放的な感覚を与える。
【００３６】
また本例によれば、枠体１０と左及び右スピーカ取り付け板１１Ｌ及び１１Ｒと上及び下透明部材１２Ｕ及び１２Ｄとをスライド係合するようにしたので、このフロント組立体の薄型化を図ることができると共に映像表示装置の薄型化を図ることができる。本例によれば、このＰＤＰフラットパネルディスプレイの映像表示画面を例えば４２インチとし、この奥行きを例えば９．８ｃｍと極めて薄くできる。
【００３７】
尚、本発明は上述例に限ることなく本発明の要旨を逸脱することなくその他種々の構成が採り得ることは勿論である。
【図面の簡単な説明】
【００３８】
【図１】本発明フロント組立体を実施するための最良の形態の例を示す背面側から見た分解斜視図である。
【図２】本発明フロント組立体を実施するための最良の形態の例を示す背面側から見た斜視図である。
【図３】本発明映像表示装置を実施する最良の形態の例を示す正面斜視図である。
【図４】図３の背面斜視図である。
【図５】図３の正面から見た分解斜視図である。
【図６】図３の背面から見た分解斜視図である。
【図７】本発明の要部の例を示す断面図である。
【図８】要部の例を示す構成図である。
【図９】図３の矢印Ａ方向から見た要部の例の斜視図である。
【符号の説明】
【００３９】
１……フロント組立体、２……フィルターガラス、３……リアカバー、４……プラズマディスプレイパネル、５……スピーカ、１０……枠体、１１Ｌ……左スピーカ取り付け板、１１Ｒ……右スピーカ取り付け板、１２Ｕ……上透明部材、１２Ｄ……下透明部材、１３……ローレット状の線シボ
【図１】
2006030311.tif 000003
【図２】
2006030311.tif 000004
【図３】
2006030311.tif 000005
【図４】
2006030311.tif 000006
【図５】
2006030311.tif 000007
【図６】
2006030311.tif 000008
【図７】
2006030311.tif 000009
【図８】
2006030311.tif 000010
【図９】
2006030311.tif 000011